(57)【要約】【課題】弱電界受信から強電界受信、あるいは強電界受信より更なる強電界受信における受信品質の向上を可能とした高周波受信装置を提供する。【解決手段】高周波増幅器の入力と出力との間に接続された電子スイッチと、第１、第２のＡＧＣ電圧が入力されるとともに弱電界、中電界、強電界、更なる強電界の受信条件を検出する受信条件検出器と、この受信条件検出器からの検出信号に基づいて前記電子スイッチのオン・オフ制御を行う切替器を設け、更なる強電界受信時には前記電子スイッチをオフとし前記高周波増幅器を動作状態とすることにより、例え更なる強電界の受信レベルの信号が入力された場合にでも、入力信号に対する出力信号の飽和特性により高周波増幅器からの出力信号は一定の信号レベル以下とすることができる。【選択図】図１
2010147975.tif 000002
【特許請求の範囲】
【請求項１】
高周波信号が第１の入力端子を介して供給される高周波増幅器と、この高周波増幅器の出力信号が供給されるとともに第１の利得制御器から出力される第１のＡＧＣ（自動利得）電圧により利得制御される第１の増幅器と、この第１の増幅器の出力信号が一方の入力に供給される混合器と、この混合器の他方の入力に接続される発振器と、前記混合器の出力が供給されるとともに第２のＡＧＣ電圧により利得制御される第２の増幅器と、この第２の増幅器の出力信号が供給される復調部と、この復調部から出力される復調信号が供給される出力端子を備え、前記高周波増幅器の入力と出力との間に接続され、高周波信号をオン・オフする電子スイッチと、前記第１、第２のＡＧＣ電圧が入力されるとともに弱電界、中電界、強電界、更なる強電界の受信条件を検出する受信条件検出器と、この受信条件検出器からの検出信号に基づいて前記電子スイッチのオン・オフ制御と高周波増幅器の動作・非動作の切り替えを行う切替器を設け、前記切替器は更なる強電界受信時に前記電子スイッチをオフとするとともに、前記高周波増幅器を動作状態とする高周波受信装置。
【請求項２】
高周波増幅器からの出力信号を後段回路の許容入力レベル以下に設定する請求項１に記載の高周波受信装置。
【請求項３】
中電界、強電界受信時には、前記電子スイッチをオンとするとともに、前記高周波増幅器を非動作状態とする請求項１に記載の高周波受信装置。
【請求項４】
前記復調部には第２の増幅器の出力信号が供給されるデジタルフィルタを設け、前記第１の利得制御器の入力には前記混合器の出力信号が接続されるとともに、前記第２の利得制御器の入力には前記デジタルフィルタの出力信号が供給される請求項１に記載の高周波受信装置。
【請求項５】
前記受信条件検出器の入力に接続されたＡＤＣ（アナログデジタルコンバータ）を設け、前記ＡＤＣでは前記第１と第２のＡＧＣ電圧をデジタル信号へと変換し、これらデジタル信号が制御信号ラインを用いて前記受信条件検出器に入力される請求項１に記載の高周波受信装置。
【請求項６】
混合器をダイレクトコンバージョンとした請求項１に記載の高周波受信装置。
【請求項７】
受信条件検出器が、少なくとも第１、第２の増幅器の利得がともに最小と検出した場合には、前記切替器により前記電子スイッチをオフとするとともに、前記高周波増幅器を動作状態と設定する請求項１に記載の高周波受信装置。
【請求項８】
受信条件検出器が、少なくとも第１、第２の増幅器の利得がともに最小と検出するとともに、前記復調器から出力されるＢＥＲ（ビットエラーレート）とあらかじめ定められたＢＥＲ基準値とを比較し、前記ＢＥＲが前記ＢＥＲ基準値よりも悪いと判定した場合、前記切替器により前記電子スイッチをオフとするとともに、前記高周波増幅器を動作状態と設定する請求項１に記載の高周波受信装置。
【請求項９】
受信条件検出器が、少なくとも第１、第２の増幅器の利得がともに最小と検出するとともに、前記復調器から出力されるＣ／Ｎ（キャリア対ノイズ）とあらかじめ定められたＣ／Ｎ基準値とを比較し、前記Ｃ／Ｎが前記Ｃ／Ｎ基準値よりも悪いと判定した場合、前記切替器により前記電子スイッチをオフとするとともに、前記高周波増幅器を動作状態と設定する請求項１に記載の高周波受信装置。
【発明の詳細な説明】
【技術分野】
【０００１】
本発明は、テレビ放送信号の受信条件を判定し、この受信条件に基づいて高周波受信部の高周波増幅器を動作させて用いることにより、更なる強電界における受信品質の向上を可能とした高周波受信装置に関するものである。
【背景技術】
【０００２】
以下、従来の高周波受信装置について説明する。図２に示すように、従来の高周波受信装置１は、高周波受信部２と、この高周波受信部２の出力に接続された復調部３から構成されていた。
【０００３】
この高周波受信部２は、入力端子２ａから出力端子２ｂに向かって順に、妨害信号を除去するフィルタ４、高周波増幅器５、利得制御器６ａにより利得制御可能な増幅器６、混合器７、妨害信号を除去するフィルタ７ａ、利得制御器９ａにより利得制御可能な増幅器９が接続されていた。
【０００４】
さらに、復調部３は、入力端子３ａから出力端子３ｂに向かって順に、アナログ信号をデジタル信号に変換するＡ／Ｄコンバータ１１、妨害信号を除去するデジタルフィルタ１２、復調信号を出力する復調器１３が接続されていた。
【０００５】
ここで高周波増幅器５には高周波増幅器５の入出力間をバイパスさせるスイッチが内蔵されていた。そしてスイッチは、この高周波増幅器５へ入力される信号が大きい時には入出力間がバイパスされ、信号を増幅せずに増幅器６へと供給するものであった。
【０００６】
なお、この出願の発明に関連する先行技術文献情報としては、例えば特許文献１が知られている。
【特許文献１】特開２００６−１９７６３３号公報
【発明の開示】
【発明が解決しようとする課題】
【０００７】
しかしながら近年、携帯電話に代表される携帯機器では使用勝手の面からの小型化の要望により、内蔵アンテナや筐体アンテナなどが用いられるようになってきた。このようなアンテナは受信信号の波長に対してアンテナ長が短いためアンテナゲインが小さく、アンテナと高周波受信装置１との間に増幅器を含む整合回路などが必要となってきた。
【０００８】
ところが、このような場合高周波受信装置に対して、強電界を上回るレベル（更なる強電界）の信号が入力された場合には、高周波受信装置の入力に設けられた第１の増幅器あるいは混合器において相互変調歪が発生し、受信品質の劣化が発生した。
【０００９】
そこで、本発明は、この問題を解決したもので、弱電界の信号受信から強電界の信号受信、そして強電界より更なる強電界の信号受信においても良好な受信品質での受信を可能とした高周波受信装置を提供することを目的としたものである。
【課題を解決するための手段】
【００１０】
この目的を達成するために、高周波増幅器の入力と出力との間に接続された電子スイッチと、第１、第２のＡＧＣ電圧が入力されるとともに弱電界、中電界、強電界、更なる強電界の受信条件を検出する受信条件検出器と、この受信条件検出器からの検出信号に基づいて前記電子スイッチのオン・オフ制御を行う切替器を設ける。そして、この切替器が更なる強電界受信時には前記電子スイッチをオフとするとともに、前記高周波増幅器を動作状態とするものである。
【００１１】
これにより、所期の目的を達成することが可能となる。
【発明の効果】
【００１２】
以上のように、高周波増幅器の入力と出力との間に接続された電子スイッチと、第１、第２のＡＧＣ電圧が入力されるとともに弱電界、中電界、強電界、更なる強電界の受信条件を検出する受信条件検出器と、この受信条件検出器からの検出信号に基づいて前記電子スイッチのオン・オフ制御を行う切替器を設け、前記更なる強電界受信時には前記電子スイッチをオフとするとともに、前記高周波増幅器を動作状態とするものであり、受信条件検出器により受信の電界強度レベルを検出し、このレベルが更なる強電界である場合に、切替器を用いて電子スイッチはオフとして、高周波増幅器は動作状態とし、例え更なる強電界の受信レベルの信号が入力されたとしても、入力信号に対する出力信号の飽和特性により高周波増幅器からの出力信号は一定の信号レベル以下とすることができる。
【００１３】
これにより、第１の増幅器、混合器からなる後段回路へ入力される信号レベルを後段回路の許容入力レベル以下とすることにより、後段回路での歪を低減できる。つまり、高周波受信部の歪は、高周波増幅器の歪により決定できることになる。
【００１４】
この結果、更なる強電界受信においても受信品質を向上させた高周波受信装置を実現できる。
【００１５】
また、このように受信条件に応じて高周波増幅器を動作させない制御を行うので、低消費電力とできる。
【発明を実施するための最良の形態】
【００１６】
（実施の形態１）
以下、本発明の実施の形態１について、図１を用いて説明する。図１は、高周波受信装置２１のブロック図である。本発明の実施の形態では一実施例として、デジタル方式のテレビ放送信号を受信する高周波受信装置２１について説明する。
【００１７】
この高周波受信装置２１は、高周波受信部２２と、この高周波受信部２２の出力が接続された復調部２３と、受信条件を検出する受信条件検出器５６から構成されている。
【００１８】
以下、高周波受信部２２の構成について説明する。この高周波受信部２２には、アンテナ２５に接続された入力端子２２ａと出力端子２２ｂとが設けられている。入力端子２２ａと出力端子２２ｂの間には、入力端子２２ａ側から順に、受信周波数帯域を通過させる固定のフィルタ４０と、フィルタ４０の出力が接続される高周波増幅器４１と、高周波増幅器４１の出力が接続される減衰器４３と、減衰器４３の出力が接続されるとともに利得制御入力４４ａにより利得制御の可能な増幅器４４と、この増幅器４４の出力が一方の入力４５ａに供給される混合器４５と、混合器４５の出力が供給されたフィルタ４６と、利得制御入力４７ａにより利得制御の可能な増幅器４７が接続されている。この増幅器４７の出力は出力端子２２ｂに接続されている。なお、フィルタ４６は、混合器４５で周波数変換された希望信号を通過させるとともに希望信号以外の妨害信号を抑圧する。
【００１９】
ここで、混合器４５の他方の入力４５ｂには、発振器４８の出力が接続されている。この発振器４８には、ＰＬＬ回路４９の出力４９ａから出力される制御電圧が供給されている。このＰＬＬ回路４９の入力４９ｂには、入力端子２２ｃから入力される周波数を設定する制御データが供給されており、この制御データにより、発振周波数を可変できる。なお、ＰＬＬ回路４９には基準発振器が含まれており（図示せず）、この周波数を基準として発振器の周波数が制御される。
【００２０】
また、フィルタ４０は、希望信号を通過させる同調周波数を可変できるバンドパスフィルタとしてもよい。この場合、フィルタ４０の同調周波数は、ＰＬＬ回路４９の出力４９ａから出力される制御電圧により可変することができる構成としてよい。これによって、妨害信号に対する抑圧量が大きくでき、妨害特性が改善される。また、フィルタ４０は、削除して用いてもよい。これにより、回路を簡素化できる。
【００２１】
さらに、混合器４５の出力信号は、フィルタ４６に入力されるとともに、ＡＧＣ電圧を出力する利得制御器５０に入力される。このＡＧＣ電圧は、増幅器４４の利得制御入力４４ａに供給されている。
【００２２】
また、増幅器４７の利得制御入力４７ａは、ＡＧＣ電圧を出力する利得制御器５１の出力に接続されている。
【００２３】
さらに、高周波増幅器４１の入力と出力との間には電子スイッチと、この電子スイッチをオン・オフとし前記高周波増幅器を非動作・動作状態とする切替器４２が設けられている（簡略化のため高周波増幅器を制御するラインは図示せず）。
【００２４】
次に、復調部２３の構成について説明する。この復調部２３には、入力端子２３ａと出力端子２３ｂとが設けられている。この入力端子２３ａと出力端子２３ｂとの間には、入力端子２３ａから順に、増幅器５２と、Ａ／Ｄコンバータ５３と、デジタルフィルタ５４と、デジタル用復調器５５が接続されている。
【００２５】
このデジタルフィルタ５４の出力は、デジタル用復調器５５に入力されるとともに利得制御器５１に入力される。
【００２６】
次に、受信条件検出器５６について説明する。この受信条件検出器５６には入力５６ｃ、５６ｄ、５６ｅが設けられている。これら入力５６ｃ、５６ｄには、利得制御器５０、５１から出力されるＡＧＣ電圧がそれぞれ入力されている。入力５６ｅは、利得制御器５０、５１から出力されるＡＧＣ電圧それぞれとを比較する基準電圧用入力端子である。また、受信条件検出器５６の入力５６ａには、デジタル用復調器５５の出力５５ａから出力されたＢＥＲが入力される。受信条件検出器５６の入力５６ｂは、ＢＥＲ用基準値が入力されるＢＥＲ用基準入力端子である。なお、ＢＥＲの代わりにＣ／Ｎ値を用いてもよい。
【００２７】
また、受信条件検出器５６の出力５６ｆから出力される検出信号は切替器４２の切替制御端子４２ａに接続されている。この切替制御信号はＡＧＣ電圧あるいはＢＥＲに基づいて電子スイッチをオン・オフとし、高周波増幅器を非動作・動作状態に切り替えることができる。
【００２８】
以上のように構成された高周波受信装置２１の動作について、図１を用いて説明する。
【００２９】
最初に、高周波受信装置２１の高周波受信部２２の動作について図１を用いて説明する。
【００３０】
なお、増幅器４４の利得制御範囲は、例えば０ｄＢｍ〜−６０ｄＢｍ（入力端子２２ａでの値）としている。また増幅器４７の利得制御範囲は、例えば−６０ｄＢｍ〜−１００ｄＢｍ（入力端子２２ａでの値）として説明する。
【００３１】
これら利得制御範囲は、高周波増幅器４１、増幅器４４、４７、５２、混合器４５等の利得、雑音指数、および歪特性に応じて最適な範囲に変えることができるように回路を構成してある。
【００３２】
図１において、アンテナ２５の受信信号である高周波信号は、入力端子２２ａを介してフィルタ４０に入力される。このフィルタ４０では、受信周波数域以外の信号が抑圧される。このフィルタ４０の出力信号は、高周波増幅器４１に入力される。
【００３３】
ここで、高周波増幅器４１の入力と出力の間に設けられた切替器４２は、電子スイッチのオン・オフと高周波増幅器４１の動作・非動作を同時に切り替える。具体的には、電子スイッチをオフとした場合は、高周波増幅器４１を動作状態とする。逆に、電子スイッチをオンとした場合は高周波増幅器４１を非動作状態とする。これにより電子スイッチをオフとした場合、高周波信号は高周波増幅器４１を介して減衰器４３へ入力される。一方、電子スイッチがオンである場合、高周波信号は電子スイッチを介して減衰器へと入力される。
【００３４】
この減衰器４３の出力信号は増幅器４４へと入力され、増幅器４４により利得制御される。混合器４５の一方の入力４５ａには増幅器４４の出力が供給される。また、混合器４５の他方の入力４５ｂにはＰＬＬ回路４９で制御された発振器４８の出力信号が供給されている。
【００３５】
ここで、ＰＬＬ回路４９の入力４９ｂには、入力端子２２ｃを介してＰＬＬ制御用データが入力される。そして、発振器４８の出力周波数とＰＬＬ回路４９内の基準周波数とが比較され、ＰＬＬ回路４９の出力４９ａから出力される制御電圧により発振器４８の発振周波数が制御される。希望信号周波数と発振器４８の出力周波数との差分が中間周波数として混合器４５から出力される。つまり、受信信号の中から希望信号が選局されることになる。
【００３６】
そして、混合器４５からは、例えば８ＭＨｚの中間周波数となる希望信号が出力される。この中間周波数の信号は、妨害信号が抑圧されるフィルタ４６に入力されるとともに、利得制御器５０に入力される。フィルタ４６では、固定のＢＰＦ（バンドパスフィルタ）として例えばＳＡＷフィルタを用いれば、近接した妨害信号を十分に抑圧できる。
【００３７】
あるいは、混合器４５からの周波数は、例えば１セグメント受信である場合５００ｋＨｚの中間周波数とできる。この場合、フィルタ４６として例えばＬＰＦ（ローパスフィルタ）を用いれば、近接した妨害信号を十分に抑圧できる。
【００３８】
さらに、利得制御器５０から出力されるＡＧＣ電圧は、増幅器４４の利得制御入力４４ａに供給される。これにより、混合器４５の出力信号が一定のレベルになるように利得制御される。
【００３９】
そして、フィルタ４６の出力信号は、増幅器４７で利得制御されたのち、出力端子２２ｂから出力される。
【００４０】
さらに、デジタルフィルタ５４の出力信号が入力される利得制御器５１から出力されるＡＧＣ電圧は、増幅器４７の利得制御入力４７ａに供給される。これにより、増幅器４７の出力信号が一定のレベルになるように利得制御される。
【００４１】
以上のように、入力端子２２ａに入力された受信信号は、増幅器４４、４７において利得制御が行われるとともに、混合器４５により周波数変換され、フィルタ４０、４６により妨害信号が十分に抑圧される。そして、出力端子２２ｂからは、この周波数変換された一定レベルの希望信号が出力される。
【００４２】
次に、復調部２３の動作について説明する。増幅器５２には、高周波受信部２２の出力信号が入力される。この増幅器５２の出力信号は、アナログ信号をデジタル信号に変換するＡ／Ｄコンバータ５３に入力される。このＡ／Ｄコンバータ５３から出力されるデジタル信号は、デジタル処理により妨害信号が十分に抑圧されるデジタルフィルタ５４に入力される。このデジタルフィルタ５４からのデジタル信号は、デジタル用復調器５５に入力され、復調出力としてＴＳ（トランスポートストリーム）信号を出力する。
【００４３】
また、デジタルフィルタ５４の出力は、ＡＧＣ電圧を出力する利得制御器５１に入力される。
【００４４】
次に、受信条件検出器５６の動作について説明する。受信条件検出器５６は、利得制御器５０、５１からのそれぞれのＡＧＣ電圧により受信条件の検出を行い、検出した受信条件に基づいて切替器４２を制御する。
【００４５】
ここで、検出できる受信条件は、弱電界、中電界、強電界、更なる強電界であり、それぞれの検出方法を説明する。
【００４６】
（表１）は、高周波受信装置２１の増幅器４４、４７の受信条件、弱電界、中電界、強電界、更なる強電界における利得量の大きさと、高周波増幅器４１、電子スイッチの状態を示している。
【００４７】
【表１】
2010147975.tif 000003
【００４８】
弱電界は−８０ｄＢｍ以下の受信レベルとする。−８０ｄＢｍ以下の受信信号に対しては電子スイッチがオフされ、高周波増幅器４１がオンされる。これにより受信信号は、高周波増幅器４１を介して増幅器４４に入力される。ここで増幅器４４の利得制御範囲は、０ｄＢｍ〜−６０ｄＢｍ（入力端子２２ａでの値）であるので、増幅器４４は最大利得となる。
【００４９】
増幅器４４から出力される受信信号は、増幅器４７に入力される。この増幅器４７の利得制御範囲は、−６０ｄＢｍ〜−１００ｄＢｍ（入力端子２２ａでの値）である。このため、増幅器４７は、利得制御器５１のＡＧＣ電圧により、中〜最大利得とされる。
【００５０】
中電界は−４０ｄＢｍ〜−８０ｄＢｍの受信レベルとし、この受信信号に対しては、電子スイッチがオンされ、高周波増幅器４１がオフとされる。これにより受信信号は、電子スイッチを介して増幅器４４に入力される。ここで増幅器４４の利得制御範囲は、０ｄＢｍ〜−６０ｄＢｍ（入力端子２２ａでの値）であるので、増幅器４４は中〜最大利得とされる。
【００５１】
増幅器４４から出力される受信信号は、増幅器４７に入力される。この増幅器４７の利得制御範囲は、−６０ｄＢｍ〜−１００ｄＢｍ（入力端子２２ａでの値）である。このため、増幅器４７は、利得制御器５１のＡＧＣ電圧により、最小〜中利得とされる。
【００５２】
強電界は０ｄｍ〜−４０ｄＢｍの受信レベルとし、この受信信号に対しても中電界と同様に電子スイッチがオンされ、高周波増幅器４１がオフとされる。これにより受信信号は電子スイッチを介して増幅器４４に入力される。ここで増幅器４４の利得制御範囲は、０ｄＢｍ〜−６０ｄＢｍ（入力端子２２ａでの値）であるので、増幅器４４は最小〜中利得とされる。
【００５３】
増幅器４４から出力される受信信号は、増幅器４７に入力される。この増幅器４７の利得制御範囲は、−６０ｄＢｍ〜−１００ｄＢｍ（入力端子２２ａでの値）である。このため、増幅器４７は、利得制御器５１のＡＧＣ電圧により、最小利得とされる。
【００５４】
そして更なる強電界は０ｄＢｍ以上の受信レベルとし、この受信信号に対しては、電子スイッチがオフされ、高周波増幅器４１がオンとされる。これにより受信信号は、高周波増幅器４１を介して増幅器４４に入力される。ここで増幅器４４の利得制御範囲は、０ｄＢｍ〜−６０ｄＢｍ（入力端子２２ａでの値）であるので、増幅器４４は最小利得とされる。
【００５５】
増幅器４４から出力される受信信号は、増幅器４７に入力される。この増幅器４７の利得制御範囲は、−６０ｄＢｍ〜−１００ｄＢｍ（入力端子２２ａでの値）である。このため、増幅器４７は、利得制御器５１のＡＧＣ電圧により、最小利得とされる。
【００５６】
このように、増幅器４４、４７の利得は、受信信号レベルの大きさに応じて変化する。
【００５７】
すなわち、受信信号−８０ｄＢｍ（入力端子２２ａでの値）以下の弱電界では、増幅器４４は最大利得にて動作し、増幅器４７は中利得〜最大利得にて動作する。また、受信信号−４０ｄＢｍ〜−８０ｄＢｍ（入力端子２２ａでの値）の中電界では、増幅器４４は中利得〜最大利得にて動作し、増幅器４７は最小利得〜中利得にて動作する。さらに、受信信号０ｄＢｍ〜−４０ｄＢｍ（入力端子２２ａでの値）の強電界では、増幅器４４は最小利得〜中利得にて動作し、増幅器４７は最小利得にて動作する。そして、受信信号０ｄＢｍ（入力端子２２ａでの値）以上の更なる強電界では、増幅器４４、４７はともに最小利得にて動作する。
【００５８】
以上から、増幅器４４、４７のＡＧＣ電圧を受信条件検出器５６で比較・判定することにより、弱電界、中電界、強電界、更なる強電界のそれぞれの判定が可能となる。
【００５９】
なお、受信条件検出器５６が、弱電界および更なる強電界と検出した場合は、高周波増幅器４１を動作状態として用いるため、動作電流が流れるが、受信条件検出器５６が、中電界、強電界と検出した場合は、高周波増幅器４１を非動作状態として用いるため、高周波増幅器４１には電流が流れず、低消費電力状態となる。
【００６０】
次に受信条件検出器５６が検出した受信条件に基づいて切替器４２、高周波増幅器４１の切替制御を行う動作について説明する。
【００６１】
受信条件検出器５６が弱電界と判定した場合は、切替器４２にて電子スイッチをオフとするとともに高周波増幅器４１を動作状態とする。これにより高周波受信部２２の雑音指数が低下するため受信感度が向上し、弱電界においても良好な受信状態が得られる。
【００６２】
受信条件検出器５６が中電界、強電界と判定した場合は、切替器４２にて電子スイッチをオンとするとともに高周波増幅器４１を非動作状態とする。これにより増幅器４４の入力レベルが最適化され、高周波受信部２２における歪性能が向上し、中電界、強電界における妨害環境においても良好な受信状態が得られる。さらに、高周波増幅器４１を非動作状態としているため、電力消費がなく、低消費電力化が図れる。
【００６３】
受信条件検出器５６がさらなる強電界と判定した場合は、切替器４２をオフとするとともに高周波増幅器４１を動作状態とする。これにより例え更なる強電界の受信レベルが入力されたとしても、高周波増幅器４１の入力信号に対する出力信号の飽和特性により高周波増幅器４１からの出力信号は一定の信号レベル以下とすることができる。
【００６４】
ここで高周波増幅器４１の出力には減衰器４３、増幅器４４、混合器４５からなる後段回路が接続される。このとき、高周波増幅器４１からの出力信号を後段回路の許容入力レベル以下とするよう、減衰器４３の減衰量を設定することが重要である。これにより、後段回路での歪は発生せず、高周波増幅器４１の歪が高周波受信部全体歪となる。この結果、更なる強電界受信において受信品質を向上させた高周波受信装置を実現できる。
【００６５】
さらに、受信条件検出器５６には、基準電圧用入力端子５６ｅを設けている。この基準電圧用入力端子５６ｅからは、基準電圧値の上限値、下限値を入力できるようにしているため、高周波受信部２２内の利得の配分、妨害特性に対応して、受信条件検出器５６の基準電圧値を外部から容易に設定できる。このため、受信条件検出部５６における最適な判定基準の設定が可能となる。
【００６６】
なお、受信条件の判定にＡＧＣ電圧とともにＢＥＲを用いることで、受信信号に妨害波が混入した場合においても、精度良い判定が可能となる。
【００６７】
例えば、受信条件検出器５６が弱電界あるいは更なる強電界を検出したとする。このとき、受信条件検出器５６が、デジタル用復調器５５の５５ａから出力され、受信条件検出器５６の５６ａに入力されるＢＥＲと、受信条件検出器５６の５６ｅから入力されるＢＥＲ基準値とを比較し、ＢＥＲがＢＥＲ基準値より悪いと判定した場合のみ、切替器４２をオフとするとともに高周波増幅器４１を動作状態とし、高周波増幅器４１の動作状態の時間を最小限に留める。これにより、更なる低消費電力化が図れる。
【００６８】
さらに、利得制御器５０、５１と受信条件検出器５６との間にＡＧＣ電圧をデジタルに変換するＡＤ変換器（アナログ−デジタル変換器）を挿入し（図示せず）、このＡＤ変換器から出力されるデジタル値を、例えばＩ２Ｃバスラインを用いた制御信号により信号処理をしてもよい。この場合、共通のＩ２Ｃバスラインにより信号処理が可能となるので、配線が簡単になる。
【００６９】
なお、高周波受信部２２では、混合器４５をシングルスーパヘテロダイン受信として説明したが、ダイレクトコンバージョン受信として用いても、同様である。すなわち、混合器４５をＩ、Ｑ信号用の２つの混合器とし、これらＩ、Ｑ信号用の混合器の他方の入力には、発振器４８からの発振信号を互いに９０度の位相差を持たせてそれぞれ入力する。このように、ダイレクトコンバージョンとした場合には、出力信号はダイレクトコンバージョン以降の周波数が、Ｉ、Ｑのベースバンド信号となる。デジタル復調器はＩ、Ｑ信号入力タイプとなる。つまり、低周波での信号処理となるので、集積回路化が容易となる。また、他の信号との干渉が発生しにくい。
【産業上の利用可能性】
【００７０】
本発明にかかわる高周波受信装置では、弱電界のエリアから更なる強電界のエリアまでの幅広いエリアにおいて良好に受信可能であり、かつ低消費電力化が可能であるという効果を有し、特に携帯用途に用いられる高周波受信装置に用いると有用である。
【図面の簡単な説明】
【００７１】
【図１】本発明の実施の形態１における高周波受信装置のブロック図
【図２】従来例における高周波受信装置のブロック図
【符号の説明】
【００７２】
２２ａ  入力端子
２２ｂ  出力端子
４１  高周波増幅器
４２  切替器
４４  増幅器
４５  混合器
４７  増幅器
４８  発振器
５０  利得制御器
５１  利得制御器
５６  受信条件検出器
【図１】
2010147975.tif 000004
【図２】
2010147975.tif 000005